(57)【要約】【課題】発泡合成樹脂で形成された複数のブロックピースの集合体からなる遊戯用組立ブロックにおいて、各ブロックピースの凸部材がその下面側にある基材の通孔に没入しにくい構造とし、かつ手で握るブロックピース側面の手触りを良くする。【解決手段】他のブロックピースの凹部と嵌合させるための凸部材を支承するため、基材上面に衝止部材および嵌合部材とを備えた構成のブロックピースとし、更に、少なくとも前記基材と前記衝止部材と前記嵌合部材の固着後に側面を切削して各部材の側面を同一面となるようにした製造方法を用いる。【選択図】図１
2006068178.tif 000002
【特許請求の範囲】
【請求項１】
複数のブロックピースの集合体からなり、前記各ブロックピースは、平面に垂直な方向に貫通した少なくとも一の円柱状の空間からなる通孔を有する独立気泡の合成樹脂発泡体の基材と、前記基材の平面と同一外周形状の平面を有し前記基材の上面に全面にわたって固着して前記基材の通孔を塞ぐ独立気泡の合成樹脂発泡体の衝止部材と、前記基材の平面と同一外周形状の平面を有し前記基材の通孔と中心軸を共通にする円柱状の空間からなる通孔を有して前記衝止部材の上面に全面にわたって固着された独立気泡の合成樹脂発泡体の嵌合部材と、下端部が前記嵌合部材の通孔を介して衝止部材の上面に当着し上端部が嵌合部材の上面より突出した前記基材の通孔と中心軸を共通にする略円柱状の独立気泡の合成樹脂発泡体の凸部材とを備え、前記基材の通孔の内径と前記嵌合部材の通孔の内径と前記凸部材の略円柱の外径とが略同寸法あって、前記ブロックピースに設けられた一カ所または複数箇所の略円柱状の凸部を他のブロックピースに設けられた一カ所または複数箇所の凹部に嵌脱自在な構成としたことを特徴とする遊戯用組立ブロック。
【請求項２】
複数のブロックピースの集合体からなり、前記各ブロックピースは、平面に垂直な方向に貫通した少なくとも一の円柱状の空間からなる通孔を有する独立気泡の合成樹脂発泡体の基材と、前記基材の上面に全面にわたって固着された独立気泡の合成樹脂発泡体の衝止部材と、前記基材の通孔と中心軸を共通にする円柱状の貫通した空間からなる通孔を有し衝止部材の上面に全面にわたって固着された独立気泡の合成樹脂発泡体の嵌合部材と、下端部が前記嵌合部材の通孔を介して衝止部材の上面に当着し上端部が嵌合部材の上面より突出した前記基材の通孔と中心軸を共通にする略円柱状の独立気泡の合成樹脂発泡体の凸部材とを備え、少なくとも前記基材と前記衝止部材と前記嵌合部材の固着後に、前記基材と前記衝止部材と前記嵌合部材の側面を切削して、該側面同士が同一面となるようにすることを特徴とする遊戯用組立ブロックの製造方法。
【発明の詳細な説明】
【技術分野】
【０００１】
複数のブロックピースを使用し、前記ブロックピースの凸部を他のブロックピースの凹部に嵌合したり、または脱着したりして、子供、高齢者、あるいはリハビリテーションをする人など含め、誰もが楽しんで組立できる遊戯用組立ブロックに関するものである。
【背景技術】
【０００２】
遊戯用組立ブロックは複数のブロックピース同士を嵌脱できるような構造に形成されており、一般には前記ブロックピースの凸部を他のブロックピースの凹部に嵌合して、全体として目的の形状になるように組み合わせたり、同じ色あるいは異なった色のブロックピース同士を組み合わせたりする方法で用いられる。
【０００３】
そのため、一のブロックピースにおける一個または複数個の凸部の取付位置やその寸法形状および一個または複数個の凹部の設置位置やその寸法形状はブロックピース同士の嵌合ができるように正確に造られていなければならず、一般には射出成形のような金型を用いた製造方法による固形プラスチックからなるブロックピースが採用されている。また、最近では、安全性等を重視して、ブロックピースを構成する部材を弾力性の大きい合成樹脂の発泡体で形成する方法も使用されている。
【特許文献１】特開平０６−１９０１５４号公報
【発明の開示】
【発明が解決しようとする課題】
【０００４】
しかしながら、安全性等を重視した合成樹脂の発泡体からなるブロックピースにあっては、何度もブロックピース同士の嵌脱を繰り返すうちに嵌合時の押圧により、または踏みつけたりした時の圧力によりその凸部材が下端面の基材の凹部に没入してしまい、ブロックピース自身の寿命が比較的短い。
【０００５】
さらに、固形プラスチックで構成されるブロックピースにあっては、その表面が固く、弾力性が小さいため手触りが悪い。また、合成樹脂の発泡体であっても基材と凸部材の融着時に加熱処理を施すことによりスキン層（加熱による溶融および冷却により形成される発泡合成樹脂表面の緻密で固い被膜層）が生じたり、刃物による打ち抜き時の圧力で部材表面の気泡が潰れたりして固くなり、手触りは良くない。
【０００６】
本発明は、上記の課題を解決するためになされたものであり、合成樹脂の発泡体からなるブロックピースであっても耐久性があり、かつ、手触りも良く、子供、高齢者、あるいはリハビリテーションをする人など含め、誰もが楽しんで組立できる遊戯用組立ブロックを提供するものである。
【課題を解決するための手段】
【０００７】
本発明の第１の手段は、独立気泡の合成樹脂の発泡材からなる遊戯用組立ブロックであって、基材上面に凸部材を支承するための衝止部材および嵌合部材とを備えたブロックピースの構成にある。
【０００８】
また、本発明の第２の手段は、独立気泡の合成樹脂の発泡材からなる遊戯用組立ブロックであって、少なくとも前記基材と前記衝止部材と前記嵌合部材の固着後に、前記基材と前記衝止部材と前記嵌合部材の側面を切削して、該側面同士が同一面となるようにするブロックピースの製造方法にある。
【発明の効果】
【０００９】
独立気泡の合成樹脂の発泡材からなる遊戯用組立ブロックであって、基材上面に凸部材を支承するための衝止部材および嵌合部材とを備えた構成としたことで、ブロックピースの凸部材がその下端面の基材の凹部に没入せずかつ水平方向の破断強度も高いブロックピースを得ることができ、長期に渡って繰り返し使用することが可能となる。
【００１０】
また、独立気泡の合成樹脂の発泡材からなる遊戯用組立ブロックであって、少なくとも基材と衝止部材と嵌合部材の接合後に施されるブロックピース側面の形成工程において、前記各部材の側面を切削して同一面とする製造方法としたため、前記各部材の側面間に段差を生じず、かつ切削加工としたことで表面の気泡が潰れず、遊戯用組立ブロックの使用時に手で触ったときの違和感が無く、弾力性に富んだ手触りの良いブロックピースに仕上げることができる。
【発明を実施するための最良の形態】
【００１１】
以下、本発明の実施の形態を図１〜４に基づき説明する。各図において、同一の符号は同一または同種の部材を表すものとし、加工途中の部材にあっては符号の末尾にａを付加した。
【００１２】
本実施形態の一実施例を図１に示したが、本図においては、凸部と凹部が二組ある場合のブロックピースを例に挙げて説明する。ブロックピース７は基材１、衝止部材２、嵌合部材３、凸部材４で構成されており、いずれも独立気泡の合成樹脂の発泡材を材料としている。基材１は上面に垂直な方向に貫通した二の円柱状の空間からなる通孔を有している。また、その上面には全面にわたって通孔を持たない衝止部材２の下面が固着しており、更に衝止部材２の上面には貫通した二の円柱状の空間からなる通孔を有する嵌合部材３の下面が全面にわたって固着されている。二の凸部材４、４は嵌合部材３の各通孔を介して衝止部材２の上面に当接して固着されている。
【００１３】
なお、衝止部材２を設けた構造としたのは、たとえばブロックピースの凸部を他のブロックピースの凹部に挿嵌した時やブロックピースを踏みつけた時に発生する凸部材の上面に加わる押力によって、凸部材が基材の通孔内へ没入するのを防止するためである。更に、嵌合部材３を設けたのは、凸部材の挿嵌された部位の側面を支承し、水平方向の破断強度を高めるためである。
【００１４】
また、合成樹脂の発泡体を材料として使用したのは、弾力性が高く、子供、高齢者、あるいはリハビリテーションをする人等が使用してもより安全であるためであり、また、その弾力性（伸縮性）によってブロックピースの凸部と他のブロックピースの凹部の嵌脱を容易にするためである。更に前記発泡体を独立気泡としたため吸水性が無く、水に浮かべて遊べると共に、汚れがブロックピース内部に浸透せず水洗いも容易である。
【００１５】
ところで、図２に基材１の通孔と嵌合部材３の通孔および略円柱状の凸部材４の位置関係を示したが、基材１の通孔の内径ｒ１と嵌合部材３の通孔の内径ｒ２と凸部材４の略円柱の外径ｒ３とは略同寸法であり、衝止部材２を介して対向した基材１の通孔、嵌合部材３および凸部材４のそれぞれの中心軸は共通なｘ軸上にある。また、凸部材４の嵌合部材３上面からの突出量ｌ１は基材１の深さｌ２と同じか小さい。
【００１６】
ここで、嵌合部材の通孔の内径ｒ２と凸部材の略円柱の外径ｒ３とを略同寸法としたのは、凸部材４と嵌合部材３の径を合わせて密着させて支承して水平方向の破断強度を高めるためであり、基材１の通孔の内径ｒ１と凸部材の略円柱の外径ｒ３を略同寸法としたのは、凸部材の凸部が他のブロックピースの凹部に挿嵌でき、かつ、ブロックピースの自重等で凸部が凹部から容易に脱落しないようにするためである。また、基材１の通孔と嵌合部材３の通孔と凸部材の中心軸を共通なｘ軸上となるように形成したのは、ブロックピース同士を組み立てたときに形が整うようにするためである。更に、突出量ｌ１を深さｌ２と同じか小さいものとしたのもブロックピース同士を組み立てたときに嵌合部材３の上面と他のブロックピースの基材１の下面が当接して安定的に支承すると共にブロックピース同士の形が整うようにするためである。なお、凸部材４の上面の周縁は他のブロックピースの基材１の通孔に挿嵌しやすいように面取りをした構造としてもよい。
【００１７】
次に、本発明におけるブロックピースの製造方法について説明する。たとえばポリエチレン樹脂、ポリプロピレン樹脂、エチレン酢酸ビニル共重合体（ＥＶＡ）樹脂等の発泡体からなる原反から基材、衝止部材、嵌合部材、凸部材となる発泡体を刃物等により熱を加えない方法で切り出す。このとき切り出された基材１ａ、衝止部材２ａ、嵌合部材３ａの水平寸法は最終的にブロックピースとなる基材１、衝止部材２、嵌合部材３の水平寸法よりも僅かに大きくしておく。また、円筒形の刃物等で基材１ａに半径ｒ１の通孔、嵌合部材３ａに半径ｒ2の通孔を貫通させる。なお、前記切り出し工程と前記通孔を形成する工程とを同時に行う製造方法としてもよい。
【００１８】
次に、衝止部材２ａの上面と嵌合部材３ａの下面を、例えば有害物質を発生しない接着剤で、前記各部材の側面同士がほぼ合うように接着し、更に嵌合部材３ａの通孔を介して凸部材４の下面を前記接着剤等で前記衝止部材２の上面に接着して上部部材５を形成する。
【００１９】
ところで、基材１と前記上部部材５ａとの接合方法について説明する。図３に示したように、凸部を位置決めして保持できる孔を有する上型Ａに挿嵌された上部部材５ａの衝止部材２ａの下面と、基材の通孔を位置決めして保持できる円柱状の凸部を有する下型Ｂに取り付けられた基材１ａの上面とを前記接着剤により接着する。この時、上型Ａの孔の中心軸と、対応する下型Ｂの凸部の中心軸は共通のｙ軸上となるようにあらかじめ設定されており、図示していないガイド手段により上型Ａと下型Ｂを接近させて衝止部材２ａの下面と基材１ａの上面とを接着する。したがって、基材１ａの通孔の中心軸と凸部材４の略円柱の中心軸は一致することとなる。
【００２０】
一方、上部部材５ａと基材１ａを接着したブロックピース７ａの側面は、図示していない治工具等に固定して図４のように基材１ａの側面と衝止部材２ａの側面と嵌合部材３ａの側面とを一の刃物で切削して同一面となるように形成する。本実施例においては本図のように円柱状の回転式切削刃を備えた切削機を用いて完成品となるブロックピース７の側面形状となるように形成した。なお、この切削機として、たとえばブロックピース７の側面と同形状の型に摺って切削をする回転式切削刃を備えた摺動切削機等を用いてもよい。
【００２１】
ここで、ブロックピース７ａの側面を一の刃物で切削して形成したのは、基材１と衝止部材２と嵌合部材３の各側面の段差を無くし、該各部材の側面同士が同一面となるようにするためであるが、前記各部材の側面同士を同一面にできかつ発泡体の気泡が潰れにくい方法であれば、たとえば糸鋸のような他の公知の切削方法を用いても構わない。
【００２２】
ところで、基材１と衝止部材２と嵌合部材３の側面同士を同一面としたのは、遊戯用組立ブロックの使用時において手で触ったときの違和感を無くすためであり、ブロックピース側面の形成において切削加工を用いたのは、ブロックピース側面の気泡が潰れず弾力性に富んで手触りをより良好にするためである。
【００２３】
なお、使用目的に応じて、一のブロックピースにおける基材１、衝止部材２、嵌合部材３、凸部材４は相互に同じ色あるいは異なった色であってもよい。同様に、複数のブロックピース相互においても同じ色あるいは異なった色とすることもできる。
【００２４】
また、本実施例においては凸部と凹部を二組有するブロックピースについて説明したが、一組または三組以上の凸部と凹部を有するブロックピースであっても同様の方法で製造され、同様の効果を奏するものである。
【図面の簡単な説明】
【００２５】
【図１】本発明の一実施例のブロックピースを示す一部断面図である。
【図２】本発明の一実施例のブロックピースの断面図である。
【図３】本発明の一実施例のブロックピースの製造方法を示す断面図である。
【図４】本発明の一実施例のブロックピースの製造方法を示す斜視図である。
【符号の説明】
【００２６】
１  基材
２  衝止部材
３  嵌合部材
４  凸部材
５  上部部材
７  ブロックピース
【図１】
2006068178.tif 000003
【図２】
2006068178.tif 000004
【図３】
2006068178.tif 000005
【図４】
2006068178.tif 000006